(57)【要約】【課題】立体転写媒体の前面及び側面に渡る印刷を可能とする立体転写装置を提供する。【解決手段】前面及び側面を有するスマホ白カバー５３の前面及び側面に渡り転写デザインの画像を転写する転写部３１であって、スマホ白カバー５３を転写のために凹部５７内に支持する固定ベース５５と、画像が印刷された熱転写用の転写フィルムを凹部５７上でスマホ白カバー５３に印刷面を向けて配置したとき転写フィルムの反印刷面側を覆う耐熱性のシリコーン・シートを備えたシート・ユニットと、凹部５７内の空気を吸引して弾性変形するシリコーン・シートと共に転写フィルムをスマホ白カバー５３の前面及び側面に密着させる吸引部と、シリコーン・シートを介して転写フィルムを加熱し印刷された画像をスマホ白カバー５３に熱転写させるヒーター・ユニットとを備えたことを特徴とする。【選択図】図３
2014226875.tif 000002
【特許請求の範囲】
【請求項１】
前面及び側面を有する立体転写媒体の前記前面及び側面に渡り画像を転写する立体転写装置であって、
前記立体転写媒体を転写のために凹部内に支持する固定ベースと、
前記画像が印刷された熱転写用の中間記録媒体を前記凹部上で前記立体転写媒体に印刷面を向けて配置したとき前記中間記録媒体の反印刷面側を覆う耐熱性の弾性シートを備えたシート・ユニットと、
前記凹部内の空気を吸引して弾性変形する前記弾性シートと共に前記中間記録媒体を前記立体転写媒体の前面及び側面に密着させる吸引部と、
前記弾性シートを介して前記中間記録媒体を加熱し前記印刷された画像を前記立体転写媒体に熱転写させるヒーター・ユニットと、
を備えたことを特徴とする立体転写装置。
【請求項２】
請求項１記載の立体転写装置であって、
前記弾性シートは、シリコーン・シートである、
ことを特徴とする立体転写装置。
【請求項３】
請求項１又は２記載の立体転写装置であって、
前記立体転写媒体は、スマホ・カバーである、
ことを特徴とする立体転写装置。
【請求項４】
請求項１〜３の何れか１項記載の立体転写装置を用い前記立体転写媒体に画像を自動で熱転写する転写自動販売機であって、
前記固定ベース、シート・ユニット、及びヒーター・ユニットを備え、
前記転写に用いる画像を記憶する記憶部と、
前記記憶部の画像を選択操作する選択画面と、
前記選択画面で選択された前記記憶部の画像を中間記録媒体に記録する中間記録部と、
前記立体転写媒体を転写前に補充可能に複数ストックするスタッカと、
前記立体転写媒体を前記スタッカから選択して前記固定ベースの凹部へ収容させる搬送部と、
前記固定ベースに供えられ転写後の立体転写媒体を固定ベースから排出する排出部と、
前記固定ベースから排出された転写後の立体転写媒体を受け継ぎ取り出し可能とする取り出し口と、
前記立体転写装置、記憶部、選択画面、中間記録部、搬送部、及び排出部を制御し前記選択された画像を前記中間記録媒体に記録させ、前記スタッカから選択して搬送した立体転写媒体に前記中間記録媒体により前記画像が転写された立体転写媒体を前記取り出し口へ排出するように制御する制御部と、
を備えたことを特徴とする転写自動販売機。
【請求項５】
請求項４記載の転写自動販売機であって、
前記記憶部に記憶させる画像を撮像するカメラを備えた、
ことを特徴とする転写自動販売機。
【発明の詳細な説明】
【技術分野】
【０００１】
本発明は、スマホ・カバー等へ画像を転写する立体転写装置及び転写自動販売機に関する。
【背景技術】
【０００２】
従来、コンピュータ機能を有する携帯電話としていわゆるスマート・フォンが知られており、このスマート・フォンにカバーとして、いわゆるスマホ・カバーの取り付けが行われている。
【０００３】
このスマホ・カバーは、各種のデザインが揃っており、ユーザは、店頭に並べられた各種デザインのスマホ・カバーの中から好みに合ったデザインのスマホ・カバーを選ぶことになる。
【０００４】
しかし、店頭に並ぶデザインの種類は、スペース上の制限もあり、必ずしもユーザの好みに合致することにはならない場合もあった。
【０００５】
そこで、各種の画像データからユーザが選択し、無垢のスマホ・カバーにデザインを印刷することが望まれる。
【０００６】
かかる印刷には、特許文献１のようなカバーへの印刷方法により、ある程度印刷することは可能であった。
【０００７】
しかし、スマホ・カバーは、前面及び側面を有する立体転写媒体であって、その前面及び側面の双方に印刷する要求があり、従来の印刷方法では、カバーの前面及び側面に渡る印刷の転写が困難であった。
【先行技術文献】
【特許文献】
【０００８】
【特許文献１】特開２００２−１２４０５２号公報
【発明の概要】
【発明が解決しようとする課題】
【０００９】
解決しようとする問題点は、立体転写媒体の前面及び側面に渡る印刷の転写が困難であった点である。
【課題を解決するための手段】
【００１０】
本発明は、立体転写媒体の前面及び側面に渡る印刷を可能とするために、前面及び側面を有する立体転写媒体に前記側面に渡り画像を転写する立体転写装置であって、前記立体転写媒体を凹部内に固定支持する固定ベースと、前記画像が印刷された熱転写用の中間記録媒体を前記凹部上で前記立体転写媒体に印刷面を向けて配置したとき前記中間記録媒体の反印刷面側を覆う耐熱性の弾性シートを備えたシート・ユニットと、前記凹部内の空気を吸引して弾性変形する前記弾性シートと共に前記中間記録媒体を前記立体転写媒体の前面及び側面に密着させる吸引部と、前記弾性シートを介して前記中間記録媒体を加熱し前記印刷された画像を前記立体転写媒体に熱転写させるヒーター・ユニットとを備えたことを立体転写装置の特徴とする。
【００１１】
前記立体転写装置を用いて立体転写媒体に画像を自動で熱転写する転写自動販売機であって、前記固定ベース、シート・ユニット、及びヒーター・ユニットを備え、前記転写に用いる画像を記憶する記憶部と、前記記憶部の画像を選択操作する選択画面と、前記選択画面で選択された前記記憶部の画像を中間記録媒体に記録する中間記録部と、前記立体転写媒体を転写前に補充可能に複数ストックするスタッカと、前記立体転写媒体を前記スタッカから選択して前記固定ベースの凹部へ収容させる搬送部と、前記固定ベースに供えられ転写後の立体転写媒体を固定ベースから排出する排出部と、前記固定ベースから排出された転写後の立体転写媒体を受け継ぎ取り出し可能とする取り出し口と、前記立体転写装置、記憶部、選択画面、中間記録部、搬送部、及び排出部を制御し前記選択された画像を前記中間記録媒体に記録させ、前記スタッカから選択して搬送した立体転写媒体に前記中間記録媒体により前記画像が転写された立体転写媒体を前記取り出し口へ排出するように制御する制御部とを備えたことを転写自動販売機の特徴とする。
【発明の効果】
【００１２】
本発明の立体転写装置は、上記構成であるから、吸引部による吸引によって弾性シートと共に中間記録媒体を立体転写媒体の前面及び側面に密着させヒーター・ユニットによる加熱で中間記録媒体の画像を立体転写媒体の前面及び側面に熱転写させることができる。
【００１３】
本発明の転写自動販売機は、上記構成であるから、選択画面での画像の選択操作により記憶部の画像を選択すると、選択された画像が中間記録部の画像とされて中間記録媒体に記録され、搬送部によりスタッカから固定ベースの凹部に収容された立体転写媒体の前面及び側面に前記中間記録媒体に記録された画像が熱転写され、固定ベースの排出部により取り出し口に排出され、画像転写後の立体転写媒体を取り出すことができる。  
【図面の簡単な説明】
【００１４】
【図１】立体転写装置を用いて立体転写媒体に画像を自動で熱転写する転写自動販売機を備えた転写自販システムの構成図である。（実施例１）
【図２】立体転写装置を用い内部機構の概略を透視した転写自動販売機の概略正面図である。（実施例１）
【図３】立体転写装置を用い内部機構の概略を透視した転写自動販売機の概略側面図である。（実施例１）
【図４】キャリヤの概略斜視図である。（実施例１）
【図５】転写部の概略平面図である。（実施例１）
【図６】転写部の正面から見た概略断面図である。（実施例１）
【図７】転写部の側面から見た概略断面図である。（実施例１）
【図８】排出部を示す転写部の概略断面図である。（実施例１）
【図９】シート・ユニット及びヒーター・ユニットの支持を示す概略図である。（実施例１）
【図１０】シート・ユニットとヒーター・ユニットとを示す概略図である。（実施例１）
【図１１】スマホ白ケースの支持を示す断面図である。（実施例１）
【図１２】印刷フィルムを台紙に取り付けた転写シートを示す平面図である。（実施例１）
【図１３】吸引状態を示す概略断面図である。（実施例１）
【図１４】熱転写の概略動作に係り、（Ａ）は、待機時、（Ｂ）は、ケース装着時、（Ｃ）は、印刷用紙挿入時、（Ｄ）は、シート装着時を示す概略断面図である。（実施例１）
【図１５】（Ｅ）は、真空ポンプ稼働時、（Ｆ）は、ヒーター装着時／過熱時、（Ｇ）は、加熱、真空完了時である。（実施例１）
【図１６】（Ｈ）は、転写終了時、（Ｉ）は、ケース排出時を示す概略断面図である。（実施例１）
【発明を実施するための形態】
【００１５】
立体転写媒体の前面及び側面に渡る印刷を可能にする目的を、前面及び側面を有する立体転写媒体の前記前面及び側面に渡り画像を転写する立体転写装置であって、前記立体転写媒体を凹部内に固定支持する固定ベースと、前記画像が印刷された熱転写用の中間記録媒体を前記凹部上で前記立体転写媒体に印刷面を向けて配置したとき前記中間記録媒体の反印刷面側を前記固定ベースに渡って覆う耐熱性の弾性シートを備えたシート・ユニットと、前記凹部内の空気を吸引して弾性変形する前記弾性シートと共に前記中間記録媒体を前記立体転写媒体の前面及び側面に密着させる吸引部と、前記弾性シートを介して前記中間記録媒体を加熱し前記印刷された画像を前記立体転写媒体に熱転写させるヒーター・ユニットとを備えたことで実現した。
【００１６】
また、前記立体転写装置を用いて立体転写媒体に画像を自動で熱転写する転写自動販売機であって、前記固定ベース、シート・ユニット、及びヒーター・ユニットを備え、前記転写に用いる画像を記憶する記憶部と、前記記憶部の画像を選択操作する選択画面と、前記選択画面で選択された前記記憶部の画像を中間記録媒体に記録する中間記録部と、前記立体転写媒体を転写前に補充可能に複数ストックするスタッカと、前記立体転写媒体を前記スタッカから選択して前記固定ベースの凹部へ収容させる搬送部と、前記固定ベースに供えられ転写後の立体転写媒体を固定ベースから排出する排出部と、前記固定ベースから排出された転写後の立体転写媒体を受け継ぎ取り出し可能とする取り出し口と、前記立体転写装置、記憶部、選択画面、中間記録部、搬送部、及び排出部を制御し前記選択された画像を前記中間記録媒体に記録させ、前記スタッカから選択して搬送した立体転写媒体に前記中間記録媒体により前記画像が転写された立体転写媒体を前記取り出し口へ排出するように制御する制御部とを備えたことで実現した。
【実施例１】
【００１７】
［転写自販システム］
図１は、本発明実施例の立体転写装置を用いて立体転写媒体に画像を自動で熱転写する転写自動販売機を備えた転写自販システムの構成図である。
【００１８】
図１の転写自販システム１は、デザイン画像、写真等を含む転写用デザイン（単に「コンテンツ」と称する場合もある。）である画像を立体転写媒体の一例であるスマホ・カバーに転写して販売するものであり、コンテンツ管理部３のデータベース・サーバ５と、転写自動販売機７とを備えている。これらデータベース・サーバ５及び転写自動販売機７は、オープンなコンピュータ通信網９を介して接続され、通信可能となっている。
【００１９】
コンテンツ管理部３は、デジタル・コンテンツの集約／管理、デザイン・プラットフォームの運営、転写自動販売機７からの登録データ管理等を行う。デジタル・コンテンツは、各種存在するが、本実施例では、デザイン画像、写真等を含む転写用デザインをデジタル化したものをコンテンツ・データベース１１に保存し、集約／管理を行っている。
【００２０】
データベース・サーバ５は、コンピュータ通信網９上にオープン・プラットフォームとしてのデザイン・プラットフォームを構築し、その運営を担う。
【００２１】
このデータベース・サーバ５は、転写用デザインをコンテンツ・データベース１１に保存し、このコンテンツ・データベース１１に保存されている転写用デザインを読み出し又は更新する機能を有する。
【００２２】
転写自動販売機７は、スタンド・アローンで店舗、遊技場等の固定施設１３に常設で固定設置され、或いはイベント会場等１５に臨時に設置される。例えば、固定施設１３では、日本全国、各外国の固定施設１３にそれぞれ１台又は複数台が相当数設置される。イベント会場１５では、１台又は複数台がそれぞれ設置される。
【００２３】
この転写自動販売機７は、立体転写媒体であるスマホ・カバーに好みのデザインを印刷して自動販売するものであり、ユーザの操作により所望デザインのスマホ・カバー等を手軽に得ることができる。転写自動販売機７の詳細は後述する。立体転写媒体としては、スマホ・カバーに限らず、転写可能なものであればよい。
【００２４】
ユーザは、固定施設１３やイベント会場等１５に出向いた際に、転写自動販売機７のタッチ画面操作により、記憶されている転写用デザインを選択すること等と共に、ストックされている無垢のスマホ・カバーの種類を選択し、料金を支払うことで選択したデザインが焼き付けられたスマホ・カバーを得ることができる。
【００２５】
転写用デザインは、コンピュータ機能を併せ持った携帯端末であるスマート・フォン１７によりコンテンツ管理部３のホームページへアクセスすることで提供コンテンツをダウンロードし、これを固定施設１３、イベント会場等１５へ持参し、スマート・フォン１７から転写用デザインを転写自動販売機７へケーブル／画像転送アプリ経由で転送しても良い。
【００２６】
また、転写自動販売機７が備える後述のカメラにより撮影を行い、撮像画像を転写用デザインとして用いることもできる。さらに、ユーザが自宅１９等でパーソナルコンピュータ２１、タブレットＰＣ２３、コンピュータ機能を併せ持ったテレビ２５等によりコンテンツ管理部３のホームページへアクセスすることで提供コンテンツをダウンロードし、加工可能な転写用デザインであるときはカスタマイズ加工してスマート・フォン１７へ落とし込み、これを固定施設１３、イベント会場等１５へ持参してスマート・フォン１７のカスタマイズ後の転写用デザインを転写自動販売機７へ転送しても良い。
【００２７】
ダウンロードした転写用デザインの固定施設１３、イベント会場等１５への持ち込みは、可搬の記憶メディアで行わせることも可能である。
【００２８】
ユーザが創作した転写用デザインについてもスマート・フォン１７や記憶メディア等により固定施設１３、イベント会場等１５への持ち込むことで転写自動販売機７に読み込ませ、自ら創作したデザインを焼き付けたスマホ・カバーを得ることもできる。
【００２９】
［転写自動販売機］
図２は、立体転写装置を用い内部機構の概略を透視した転写自動販売機の概略正面図、図３は、立体転写装置を用い内部機構の概略を透視した転写自動販売機の概略側面図である。
【００３０】
図２、図３のように、前記転写自動販売機７は、立体転写装置で構成した転写部３１を用い、立体転写媒体であるスマホ・カバーに画像を自動で熱転写し、筺体３３下部の取り出し口３５から取り出すことができるようにしたものである。転写部３１については逐次後述する。筺体３３には、キャスタ等の転輪３３ａが取り付けられ、移動が容易となっている。
【００３１】
転写自動販売機７は、転写部３１及び取り出し口３５の他に、筺体３３の前面上部に選択画面３７を露出させた制御部としてのコンピュータ３９を備えている。コンピュータ３９は、ＣＰＵ又はＭＰＵなどで構成され、ＲＯＭ、ＲＡＭを備えている。選択画面３７は、タッチ・パネルで構成され、後述する記憶部の画像を表示させて選択操作し、各種のスマホ・カバーを表示させて選択操作できるようになっている。
【００３２】
筺体３３の前面には、コンピュータ３９の上部側にカメラ４１が備えられている。カメラ４１によりユーザのコスプレ等を撮像し、筺体３３内部の記憶部４３に記憶させることができる。
【００３３】
筺体３３の内部には、記憶部４３の他、プリンタ４５、スタッカ４７、搬送部４９、排出部５１が備えられている。
【００３４】
記憶部４３は、転写に用いる画像を記憶するものであり、画像としては、前記コンテンツ・データベース１１に保存されているデジタル・コンテンツ、スマート・フォン１７の転写用デザインを転写自動販売機７へケーブル／画像転送アプリ経由で転送した転写用デザイン、カメラ４１によりユーザのコスプレ等を撮像したもの等である。カメラ４１の撮像画像やスマート・フォン１７からの入力画像は、記憶部４３へ記憶させると共にユーザの選択によりコンテンツ・データベース１１に登録させ、無料の転写用デザインとしては勿論、一般販売、コンテスト用等として用いることもできる。
【００３５】
プリンタ４５は、中間記録部を構成し、選択画面３７で選択された記憶部４３の画像を中間記録媒体に記録するものである。中間記録媒体としては、後述する印刷フィルムで構成された転写シートが用いられている。
【００３６】
スタッカ４７は、画像転写前の無垢のスマホ・カバーとしてスマホ白ケース５３を転写前に補充可能に複数ストックするものである。本実施例では、スマホ白ケース５３がスタッカ４７に上下方向に積み上げられ、下部から順に排出できるようになっている。スタッカ４７は、５本備えられ、それぞれ機種毎の種類に応じて５種類のスマホ白ケース５３が各スタッカ４７に収容されている。なお、スタッカ４７の数は特に限定されず、必要に応じて増減することができる。
【００３７】
搬送部４９は、スマホ白ケース５３を５本のスタッカ４７から選択して転写部３１の後述する固定ベース５５の凹部５７に支持させるものである。この搬送部４９は、プッシャ５０とキャリヤ５２とを備えている。プッシャ５０及びキャリヤ５２は、スタッカ４７の下部両側に分けて配置され、複数のスタッカ４７に沿って選択的に移動できるようになっている。この移動方向は、図２において一連のスタッカ４７に沿った左右方向となる。
【００３８】
プッシャ５０及びキャリヤ５２は、例えばそれぞれの上部に一連のスタッカ４７に沿っ配置された各無端ベルトに吊下支持されている。各無端ベルトの走行は、モータのコンピュータ３９の制御により行われ、プッシャ５０及びキャリヤ５２が同期して移動する。
【００３９】
そして、選択画面３７の操作により選択されたスマホ白ケース５３の種類に応じたコンピュータ３９の制御によりベルトがモータ駆動され、一連のスタッカ４７に沿って共に移動するプッシャ５０及びキャリヤ５２が、選択された種類のスマホ白ケース５３をストックする何れかのスタッカ４７の下部に配置される。
【００４０】
プッシャ５０は、空気圧等により駆動されるプッシュ・ロッド５０ａを備え、該当するスタッカ４７の下部開口からコンピュータ３９の制御によりスタッカ４７内に進入し、反対側のキャリヤ５２へスマホ白ケース５３を押し出す。スマホ白ケース５３を引き継いだキャリヤ５２が転写部３１に対応した位置にないときは、コンピュータ３９の制御により、再度プッシャ５０及びキャリヤ５２が転写部３１上まで移動し、転写部３１へスマホ白ケース５３を落下させ、転写部３１へ引き継がせる。キャリヤ５２の構造については、後述する。
【００４１】
排出部５１は、固定ベース５５に供えられ転写後の立体転写媒体となるスマホ・カバーを固定ベース５５から排出するものである。排出部５１は、固定ベース５５の底部に配置され、固定ベース５５の凹部５７の底部を兼ね、モータ駆動により底部を開くように傾斜動する。排出部５１のモータは、コンピュータ３９により排出のタイミングで駆動制御される。
【００４２】
取り出し口３５と転写部３１側との間には、シュート５８が設けられている。排出部５１が傾斜動するとシュート５８に連携し、固定ベース５５から排出されたスマホ・カバーを取り出し口３５に受け継ぎ、ユーザによる取り出しを可能とする。
【００４３】
そして、前記コンピュータ３９が転写部３１、記憶部４３、選択画面３７、プリンタ４５、搬送部４９、及び排出部５１を制御し、前記選択された転写用デザインを転写シートに記録させ前記スタッカ４７から選択して搬送したスマホ白ケース５３に転写用デザインが転写されたスマホ・ケースを前記取り出し口３５へ排出させるように動作させる。
【００４４】
前記転写部３１は、前面及び側面を有するスマホ白ケース５３に、前面及び側面に渡り転写用デザインの画像を転写するものである。この転写部３１は、プリンタ４５に隣接して配置された上下方向のレール５９ａ、５９ｂ間に矢印のように上下方向に可動支持されている。
【００４５】
転写部３１は、上昇位置（破線図示位置）で搬送部４９からスマホ白ケース５３を受け継いで固定させ、プリンタ４５から印刷後の転写シートを受け取る。この転写部３１は、下降位置（実線図示位置）で転写シートからスマホ白ケース５３へ転写用デザインの熱転写が行われ、転写後のスマホ・カバーが排出される。
【００４６】
図４は、搬送部のキャリヤの概略斜視図である。
【００４７】
前記キャリヤ５２は、一側が引き継ぎのために開口した箱形状であり、底部５２ａが矢印のように観音開きになる構造である。底部５２ａは、図示しないモータのコンピュータ３９の制御により開閉される。
【００４８】
［転写部］
図５は、転写部の概略平面図、図６は、転写部の正面から見た概略断面図、図７は、転写部の側面から見た概略断面図、図８は、排出部を示す転写部の概略断面図、図９は、シート・ユニット及びヒーター・ユニットの支持を示す概略図、図１０は、シート・ユニットとヒーター・ユニットとを示す概略図である。
【００４９】
図５〜図７のように、転写部３１は、前記固定ベース５５と、シート・ユニット６３と、吸引部６５と、ヒーター・ユニット６７とを備えている。
【００５０】
固定ベース５５は、一体的に形成された凹部５７を備えている。凹部５７の下面が前記排出部５１で閉止されている。凹部５７の側壁面５７ａは、傾斜形成され、搬送部４９のキャリヤ５２から落下するスマホ白ケース５３をガイドし、底部側に位置決める機能を奏する。
【００５１】
なお、固定ベース５５は、コンピュータ３９の制御による昇降駆動装置６９により昇降駆動され、転写部３１が、最上段のスマホ白ケース５３引き受け位置、その下の転写シート引き受け位置、その下の転写位置、さらにその下の排出位置の四段階の位置へ昇降駆動される。
【００５２】
固定ベース５５上面には、凹部５７の両側に沿って転写シートの固定ガイド７１ａ、７１ｂが設けられている。固定ガイド７１ａ、７１ｂの始端部には、可動ガイド７３ａ、７３ｂが設けられている。
【００５３】
固定ガイド７１ａ、７１ｂは、樹脂等により片持ち状に形成され、可撓構造となっている。したがって、後述するシート・ユニット６３のシリコーン・シート８７が固定ガイド７１ａ、７１ｂを含めて固定ベース５５上を覆い、後述する吸引部６５で吸引されると、シリコーン・シート８７からの押し付け力で固定ガイド７１ａ、７１ｂが撓み、転写シートの両縁部を挟持固定する。
【００５４】
可動ガイド７３ａ、７３ｂは、固定ガイド７１ａ、７１ｂに沿って配置され、プリンタ４５側に臨んでいる。可動ガイド７３ａ、７３ｂは、駆動軸７３ａａ、７３ｂａにより回転可能に支持され、平面から見てプリンタ４５側へ相互に開き、さらには直線状となるように回転偏倚することができる。可動ガイド７３ａ、７３ｂの開く偏倚により転写後にスクラップとなる転写シートの支持枠となる台紙の排出を円滑に行わせることができる。可動ガイド７３ａ、７３ｂの直線状の回転偏倚により、固定ベース５５上のシート・ユニット６３配置領域から退避させることができる。
【００５５】
可動ガイド７３ａ、７３ｂの偏倚動作は、モータ駆動のリンク機構等を介して行われる。このモータは、コンピュータ３９により所定のタイミングで駆動制御される。
【００５６】
固定ベース５５には、第１、第２の位置検出センサ７４ａ、７４ｂが設けられいる。第１の位置検出センサ７４ａは、可動ガイド７３ａ、７３ｂ間に配置され、第２の位置検出センサ７４ｂは、固定ガイド７１ａ、７１ｂの他端部間に配置されている。第１の位置検出センサ７４ａは、プリンタ４５側から転写部３１への転写シートの引き受けを検出し、第２の位置検出センサ７４ｂは、固定ベース５５の固定ガイド７１ａ、７１ｂ間へ転写シートが正しく配置されたことを検出する。
【００５７】
固定ベース５５の上方には、転写シート誘導ノズル７５が配置されている。転写シート誘導ノズル７５は、プリンタ４５から画像印刷後の転写シートを凹部５７上に誘導するものである。この誘導は、転写シートの幅方向の両側縁部が可動ガイド７３ａ、７３ｂ及び固定ガイド７１ａ、７１ｂにガイドされつつ行われる。
【００５８】
転写シート誘導ノズル７５は、誘導アーム７７の先端に支持されている。この転写シート誘導ノズル７５は、凹部５７上に配置され、エアホース７９によって図外の吸引ポンプに接続されている。誘導アーム７７は、凹部５７上とプリンタ４５側との間で平行移動ができるようにアーム駆動部８１に基端が取り付けられている。
【００５９】
アーム駆動部８１は、タイミング・ベルト８３で構成され、タイミング・ベルト８３はモータ８４により駆動される駆動ギヤ８５ａと遊転する遊動ギヤ８５ｂとの間に掛け回されている。駆動ギヤ８５ａのモータ８４は、コンピュータ３９により所定のタイミングで駆動制御される。
【００６０】
図８のように、前記排出部５１は、凹部５７の下部を閉止する閉止パネル８６を備え、閉止パネル８６がヒンジ９０で固定ベース５５に支持されている。固定ベース５５には、モータ駆動のカム９２が支持され、カム９２が閉止パネル８６の底部に当接している。
【００６１】
したがって、コンピュータ３９により所定のタイミングでカム９２が駆動制御されると、図８の閉止位置（実線位置）と排出位置（破線位置）とに偏倚することができる。
【００６２】
図５、図９、図１０のように、前記シート・ユニット６３は、固定ベース５５の幅方向一側に沿って配置されたモータ８９により駆動される駆動軸９１に支持されている。駆動軸９１の回転駆動によりシート・ユニット６３は、固定ベース５５の幅方向一側に起立して待機する状態と固定ベース５５上に倒伏してシリコーン・シート８７により凹部５７上を固定ベース５５上面の領域９３の範囲で覆う状態とに偏倚する。モータ８９は、コンピュータ３９により所定のタイミングで駆動制御される。  シート・ユニット６３は、耐熱性の弾性シートとしてシリコーン・シート８７を備えている。シリコーン・シート８７は、画像が印刷された熱転写用の転写シートを凹部５７上でスマホ白ケース５３に印刷面を向けて配置したとき転写シートの反印刷面側を固定ベース５５上面に渡って覆うものである。シリコーン・シート８７は、周縁部がシート・ユニット・ベース８８に支持されている。シート・ユニット・ベース８８は、ヒーター・ユニット６７を入れ子状態とする開口をシリコーン・シート８７に対向して備えている。
【００６３】
シート・ユニット６３は、固定ベース５５の幅方向一側に沿って配置されたモータ８９により駆動される駆動軸９１に支持されている。駆動軸９１の回転駆動によりシート・ユニット６３は、固定ベース５５の幅方向一側に起立して待機する状態と固定ベース５５上に倒伏してシリコーン・シート８７により凹部５７上を固定ベース５５上面の領域９３の範囲で覆う状態とに偏倚する。モータ８９は、コンピュータ３９により所定のタイミングで駆動制御される。
【００６４】
吸引部６５は、凹部５７内の空気を吸引して弾性変形するシリコーン・シート８７と共に転写シートをスマホ白ケース５３の前面及び側面に密着させるものである。この吸引部６５は、真空ポンプで構成され、ホース９５により凹部５７内に連通接続されたものである。吸引部６５は、コンピュータ３９により転写時に所定のタイミングで駆動制御される。
【００６５】
ヒーター・ユニット６７は、シート・ユニット６３の貫通した開口に入れ子式に配置され、熱転写時にシート・ユニット６３に対してヒーター・ユニット６７を相対的に下降駆動する駆動部（図視せず。）が設けられている。
【００６６】
このヒーター・ユニット６７は、シリコーン・シート８７を介して転写シートを加熱し印刷された画像をスマホ白ケース５３に熱転写させるものである。このヒーター・ユニット６７は、主ヒータ６７ａと側部ヒータ６７ｂとを備えている。主ヒータ６７ａは、スマホ白ケース５３の前面に対向するように配置されて加熱を行うものである。側部ヒータ６７ｂは、スマホ白ケース５３の側面に対向するように配置されて加熱を行うものである。
【００６７】
主ヒータ６７ａと側部ヒータ６７ｂの前記配置は、ヒーター・ユニット６７が凹部５７上でシート・ユニット６３に対し下降駆動されたとき、スマホ白ケース５３に対しシリコーン・シート８７を介して行われる。
【００６８】
したがって、コンピュータ３９の制御によりモータ８４が駆動されると、タイミング・ベルト８３が走行し、誘導アーム７７が平行移動によりプリンタ４５側に移動する。プリンタ４５から排出された転写シートを転写シート誘導ノズル７５に吸引させる。誘導アーム７７が平行移動して転写シートを凹部５７上へ移動させる。この移動時に、転写シートの幅方向の両側が可動ガイド７３ａ、７３ｂ及び固定ガイド７１ａ、７１ｂにガイドされ、転写シートの移動を確実に行わせることができる。
【００６９】
転写シートが凹部５７上に配置されると、コンピュータ３９の制御によりモータ８９が駆動され、シート・ユニット６３が下降回動してシリコーン・シート８７が凹部５７上にセットされる。
【００７０】
次いで、吸引部６５が駆動され、凹部５７内が真空となり、転写シートがスマホ白ケース５３の前面及び側面に密着し、その上を押さえ込むようにシリコーン・シート８７が密着する。
【００７１】
その後ヒーター・ユニット６７が下降して主ヒータ６７ａと側部ヒータ６７ｂとがスマホ白ケース５３の前面と側面とにシリコーン・シート８７を介して配置され、熱転写が行われる。
【００７２】
［スマホ白ケース及び転写シート］
図１１は、スマホ白ケースの支持を示す断面図、図１２は、印刷フィルムを台紙に取り付けた転写シートを示す平面図、図１３は、吸引状態を示す概略断面図である。なお、図１３では、転写フィルム等の密着動作を、左半分で示し、右半分は密着していない状態を示す。
【００７３】
図１１のように、スマホ白ケース５３は、熱転写時の形状を保持するため、木製（合板）等の内箱９７が着脱可能に合体されている。内箱９７は、インナ９７ａ、アウタ９７ｂ、インナ９７ａ及びアウタ９７ｂ間のネック９７ｃを備え、ネック９７ｃにより後述する転写フィルム１０１の巻き込み空間９７ｄを形成する。前記スタッカ４７のスマホ白ケース５３は、内箱９７が装着されたものである。
【００７４】
図１２のように、転写シート９９は、転写フィルム１０１が台紙１０３に結合されたものとなっている。台紙１０３は、枠状に形成されている。台紙１０３の内法１０３ａには、転写フィルム１０１に図示しないミシン目が入れられている。したがって、吸引部６５での真空引時に転写フィルム１０１の中央部１０１ａが台紙１０３の内法１０３ａで引き離され、スマホ白ケース５３に側部まで巻き着くように密着することができる。なお、プリンタ４５の形式によっては、台紙１０３に送りローラ用の桟１０３ｂを形成することもできる。
【００７５】
この転写シート９９は、プリンタ４５において転写フィルム１０１への画像の印刷が行われ、台紙１０３が結合されて転写部３１側へ排出される。
【００７６】
したがって、図１３のように、吸引部６５が駆動され、凹部５７内が真空となり、転写フィルム１０１の中央部１０１ａがミシン目で転写シート９９から離脱し、スマホ白ケース５３の前面及び側面に巻き着くように密着し、その上を押さえ込むようにシリコーン・シート８７が密着する。
【００７７】
その後ヒーター・ユニット６７が下降して主ヒータ６７ａと側部ヒータ６７ｂとがスマホ白ケース５３の前面と側面とにシリコーン・シート８７を介して配置され、熱転写が行われる。このとき、台紙１０３の周縁部は外縁側へ広がってシリコーン・シート８７に抑え込まれ、転写フィルム１０１は、スマホ白ケース５３に密着する。また、固定ベース５５に取り付けられた温度センサ８９によりスマホ白ケース５３側の温度が測定され、コンピュータ３９によりヒーター・ユニット６７の熱転写に必要な温度が調節される。
【００７８】
一連動作について、さらに後述する。
【００７９】
［熱転写］
図１４〜図１６は、熱転写の概略動作に係り、図１４（Ａ）は、待機時、（Ｂ）は、ケース装着時、（Ｃ）は、印刷用紙挿入時、（Ｄ）は、シート装着時を示す概略断面図、図１５（Ｅ）は、真空ポンプ稼働時、（Ｆ）は、ヒーター装着時／過熱時、（Ｇ）は、加熱、真空完了時、印刷用紙挿入時、図１６（Ｈ）は、転写終了時、（Ｉ）は、ケース排出時を示す概略断面図である。なお、図１４〜図１６において、図１６（Ｉ）以外は、排出部を省略するなど、図示を一部簡略化している。
【００８０】
図１４（Ａ）の待機状態では、スタッカ４７（図１、図２）からスマホ白ケース５３が搬送されず、凹部５７内にスマホ白ケース５３は存在しない。
【００８１】
図１４（Ｂ）のケース装着時では、前記のように、搬送部４９の稼働によりスタッカ４７からユーザが選択したスマホ白ケース５３が搬送され、凹部５７内に落下によりセットされる。
【００８２】
図１４（Ｃ）の印刷用紙挿入時では、転写シート９９が転写シート誘導ノズル７５の吸引及び誘導アーム７７の移動により配送され、可動ガイド７３ａ、７３ｂは及び固定ガイド７１ａ、７１ｂにガイドされながら凹部５７上へ移動配置される。
【００８３】
図１４（Ｄ）のシート装着時は、シート・ユニット６３及び図示省略のヒーター・ユニットが下降回動してシリコーン・シート８７が凹部５７上にセットされる。この状態で、シリコーン・シート８７が、転写フィルム１０１の反印刷面側を固定ベース５５上面に渡って覆う。
【００８４】
図１５（Ｅ）の真空ポンプ稼働時では、吸引部６５（図５）の真空引きにより凹部５７内が真空となり、転写シート９９の縁部が固定ガイド７１ａ、７１ｂにより前記のように挟持され、転写フィルム１０１の中央部１０１ａがミシン目で離脱してスマホ白ケース５３の前面及び側面に巻き着くように密着し、その上を押さえ込むようにシリコーン・シート８７が密着する。この密着状態で、スマホ白ケース５３の側面周囲に空間１０５が形成される。
【００８５】
図１５（Ｆ）のヒーター装着時／過熱時では、ヒーター・ユニット６７が回転下降し、ヒーター・ユニット６７の主ヒータ６７ａがスマホ白ケース５３の前面、同側部ヒータ６７ｂが同側面に、シリコーン・シート８７を介して近接対向配置され、熱転写が行われる。
【００８６】
図１５（Ｇ）の加熱、真空完了時では、転写フィルム１０１の密着及びヒーター・ユニット６７による加熱が完了し、ヒーター・ユニット６７及びシート・ユニット６３が退避回転する。
【００８７】
図１６（Ｈ）の転写終了時では、転写シート９９の転写フィルム１０１からスマホ白ケース５３に画像の熱転写が完了している。
【００８８】
図１６（Ｉ）のケース排出時では、コンピュータ３９による排出部５１のカムのモータ制御で閉止パネル８６が傾斜回動し、シュート５８（図３）を介して取り出し口３５に印刷後のスマホ・カバーが内箱付きで排出され、ユーザによる取り出しを可能とする。
【００８９】
その後ユーザは、選択画面３７に表示される説明画面の手順に倣い、スマホ・カバーを内箱９７から取り外す。
【００９０】
［実施例の作用効果］
本発明実施例の立体転写装置は、前面及び側面を有するスマホ白カバー５３の前面及び側面に渡り転写デザインの画像を転写する転写部３１であって、スマホ白カバー５３を転写のために凹部５７内に支持する固定ベース５５と、画像が印刷された熱転写用の転写フィルム１０１を凹部５７上でスマホ白カバー５３に印刷面を向けて配置したとき転写フィルム１０１の反印刷面側を固定ベース５５の上面に渡って覆う耐熱性のシリコーン・シート８７を備えたシート・ユニット６３と、凹部５７内の空気を吸引して弾性変形するシリコーン・シート８７と共に転写フィルム１０１をスマホ白カバー５３の前面及び側面に密着させる吸引部６５と、シリコーン・シート８７を介して転写フィルム１０１を加熱し印刷された画像をスマホ白カバー５３に熱転写させるヒーター・ユニット６７とを備えた。
【００９１】
このため、スマホ白カバー５３の前面及び側面に画像を正確に熱転写させることができる。
【００９２】
前記転写部３１を用いスマホ白カバー５３に画像を自動で熱転写する転写自動販売機７であって、固定ベース５５、シート・ユニット６３、及びヒーター・ユニット６７を備え、転写に用いる画像を記憶する記憶部４３と、記憶部４３の画像を選択操作する選択画面３７と、選択画面３７で選択された記憶部４３の画像を転写フィルム１０１に記録するプリンタ４５と、スマホ白カバー５３を転写前に補充可能に複数ストックするスタッカ４７と、スマホ白カバー５３をスタッカ４７から選択して固定ベース５５の凹部５７へ収容させる搬送部４９と、固定ベース５５に供えられ転写後のスマホ・カバーを固定ベース５５から排出する排出部５１と、固定ベース５５から排出された転写後のスマホ・カバーを受け継ぎ取り出し可能とする取り出し口３５と、転写部３１、記憶部４３、選択画面３７、プリンタ４５、搬送部４９、及び排出部５１を制御し選択された画像を転写フィルム１０１に記録させスタッカ４７から選択して搬送したスマホ白カバー５３に転写フィルム１０１により画像が転写されたスマホ・カバーを取り出し口３５へ排出するように制御するコンピュータ３９とを備えた。
【００９３】
このため、ユーザの選択画面３７の操作により選択した画像が転写された好みのスマホ・カバーを手軽に得ることができる。
【００９４】
転写自動販売機７は、記憶部４３に記憶させる画像を撮像するカメラ４１を備えた。
【００９５】
このため、ユーザは、自らのコスプレ等を撮像し、その画像を転写させたスマホ・カバーを手軽に得ることができる。
【符号の説明】
【００９６】
７  転写自動販売機
３１  転写部（立体転写装置）
３５  取り出し口
３７  選択画面
３９  コンピュータ（制御部）
４１  カメラ
４３  記憶部
４５  プリンタ（中間記録部）
４７  スタッカ
４９  搬送部
５１  排出部
５３  スマホ白ケース（立体転写媒体）
５５  固定ベース
５７  凹部
６３  シート・ユニット
６５  吸引部
６７  ヒーター・ユニット
８７  シリコーン・シート（弾性シート）
１０１  転写フィルム（中間記録媒体）
【図１】
2014226875.tif 000003
【図２】
2014226875.tif 000004
【図３】
2014226875.tif 000005
【図４】
2014226875.tif 000006
【図５】
2014226875.tif 000007
【図６】
2014226875.tif 000008
【図７】
2014226875.tif 000009
【図８】
2014226875.tif 000010
【図９】
2014226875.tif 000011
【図１０】
2014226875.tif 000012
【図１１】
2014226875.tif 000013
【図１２】
2014226875.tif 000014
【図１３】
2014226875.tif 000015
【図１４】
2014226875.tif 000016
【図１５】
2014226875.tif 000017
【図１６】
2014226875.tif 000018